(57)【要約】【課題】シーマー潤滑油を充分に吹き付け、ドラム缶において最も重要な内容物漏洩防止を保証するチャイム加工を行い、その後にドラム缶のチャイム及びその近傍の汚れを自動で除去することにより、ドラム缶の生産性及び品質性能の双方を高めることができるドラム缶用汚れ拭き取り装置を提供する。【解決手段】ドラム缶（２）の回転機構（１６）と、拭き取り材（２６）の送り出し機構（２８）と、拭き取り材の巻き取り機構（３０）と、拭き取り材の少なくとも上端両側を掴んで保持する保持機構（３２）と、保持機構で拭き取り材を保持した状態で胴体周方向に送り出し機構及び巻き取り機構を近づけることにより、拭き取り材の上端中央を弛ませて弛み領域を形成し、回転機構によりドラム缶を回転させた状態でチャイムを含む領域に弛み領域を被せて覆うようにして押圧接触させる押圧機構（３４）とを備える。【選択図】図１
2016215143.tif 000002
【特許請求の範囲】
【請求項１】
胴体の端縁と天板及び地板の少なくとも何れか一方の板面の外周縁とを巻締めにより相互に結合して形成されたチャイムを有するドラム缶の汚れを拭き取り材で拭き取る汚れ拭き取り装置であって、
前記ドラム缶をその胴体周方向に回転させる回転機構と、
前記拭き取り材の幅方向が前記ドラム缶の胴体高さ方向となる姿勢で、前記拭き取り材を前記ドラム缶側の前記チャイム近傍に向けて前記ドラム缶の回転方向に沿って送り出す送り出し機構と、
前記送り出し機構によって送り出された前記拭き取り材を巻き取る巻き取り機構と、
前記拭き取り材の少なくとも上端両側を掴んで保持する保持機構と、
前記保持機構で前記拭き取り材を保持した状態で前記胴体周方向に前記送り出し機構及び前記巻き取り機構を近づけることにより、前記拭き取り材の上端中央を弛ませて弛み領域を形成し、前記回転機構により前記ドラム缶を回転させた状態で前記チャイムを含む領域に前記弛み領域を被せて覆うようにして押圧接触させる押圧機構と
を備える、ドラム缶用汚れ拭き取り装置。
【請求項２】
前記押圧機構は、前記弛み領域を前記ドラム缶の前記チャイムを含む領域にパッドによって押圧接触させ、
前記パッドは、前記胴体高さ方向で見て前記チャイムの前記胴体と反対側に位置する外端縁部から、前記ドラム缶の胴体径方向で見て前記チャイムの内側に位置する内周縁を経て前記板面に亘る前記チャイムの内周部に、前記弛み領域を押圧接触可能な形状を有した内側パッドを含む、請求項１に記載のドラム缶用汚れ拭き取り装置。
【請求項３】
前記押圧機構は、前記拭き取り材の前記ドラム缶と反対側から前記弛み領域に空気を吹き付け、前記内周部に前記弛み領域を誘導するエアブローノズルを含む、請求項２に記載のドラム缶用汚れ拭き取り装置。
【請求項４】
前記回転機構は、
前記ドラム缶を前記天板及び前記地板の双方の前記板面において挟持し、前記ドラム缶に回転力を付与する一対の支持部と、
前記支持部の少なくとも一方と、該支持部と前記胴体径方向に近接する前記チャイムの前記内周縁との間に位置付けられ、前記支持部を前記内周縁から離間する位置で前記板面に当接させるべく案内するガイドローラと
を含む、請求項２又は３に記載のドラム缶用汚れ拭き取り装置。
【請求項５】
前記パッドは、前記ドラム缶の前記胴体高さ方向で見て、前記チャイムの前記胴体と反対側に位置する外端縁部から前記チャイムの頂部に亘って前記弛み領域を押圧接触可能な形状を有した外端縁パッドを含む、請求項２から４の何れか一項に記載のドラム缶用汚れ拭き取り装置。
【請求項６】
前記パッドは、前記ドラム缶の前記胴体高さ方向で見て、前記胴体から前記チャイムの前記胴体側に位置する内端縁部を経て前記チャイムの頂部に亘って前記弛み領域を押圧接触可能な形状を有した内端縁パッドを含む、請求項２から５の何れか一項に記載のドラム缶用汚れ拭き取り装置。
【請求項７】
前記送り出し機構、前記巻き取り機構、前記保持機構、及び前記押圧機構は、一体に又は連動して移動可能な前記拭き取り材による拭き取りユニットを構成する、請求項１から６の何れか一項に記載のドラム缶用汚れ拭き取り装置。
【請求項８】
前記拭き取りユニットは、前記ドラム缶の胴体径方向における位置を調整するための進退機構を有する、請求項７に記載のドラム缶用汚れ拭き取り装置。
【請求項９】
前記拭き取りユニットは、前記ドラム缶の前記胴体高さ方向における位置を調整するための昇降機構を有する、請求項７又は８に記載のドラム缶用汚れ拭き取り装置。
【請求項１０】
前記拭き取りユニットは前記天板側と前記地板側との双方に設けられる、請求項７から９の何れか一項に記載のドラム缶用汚れ拭き取り装置。
【請求項１１】
前記拭き取り材には洗浄剤が含浸されている、請求項１から１０の何れか一項に記載のドラム缶用汚れ拭き取り装置。
【発明の詳細な説明】
【技術分野】
【０００１】
本発明は、ドラム缶用汚れ拭き取り装置に関し、詳しくは胴体の端縁と天板及び地板の少なくとも何れか一方の外周縁とを巻締めにより相互に結合して形成されたチャイムを有するドラム缶の汚れ拭き取り装置に関する。
【背景技術】
【０００２】
この種のドラム缶は、化学製品及び石油、ガソリン、潤滑油など液体の油脂類、粘性が比較的高い液体危険物、粉体又は固体等の出し入れが容易ではない内容物等の充填輸送に好適し、円筒状をなした中空の胴体と、胴体の下端開口を閉塞する地板と、胴体の上端開口を閉塞する天板とから構成されたものが知られている。このドラム缶は、密閉型の場合には、胴体の下端縁及び地板の外周縁と、胴体の上端縁及び天板の外周縁とは、巻締めにより相互に結合されてそれぞれチャイムが形成される（例えば、特許文献１参照）。
【０００３】
また、ドラム缶の天板の汚れを拭き取るための汚れ拭き取り装置が開示されている（例えば、特許文献２参照）。
【先行技術文献】
【特許文献】
【０００４】
【特許文献１】特開２００２−１０２９７１号公報
【特許文献２】特許第３０６０６９９号公報
【発明の概要】
【発明が解決しようとする課題】
【０００５】
ところで、上記チャイムはシーマー（巻締機）による巻き締め加工等によって形成されるため、チャイム及びその近傍には、その加工時に使用する潤滑油や加工時に発生する摩耗鉄粉等が付着し易い。従って、ドラム缶の製造工程における塗装前に作業員がチャイム及びその近傍の汚れの拭き取りをウエス等で行っていた。しかし、作業員による拭き取り作業は重労働であり、また、汚れの拭き残しが発生すると、完成したドラム缶の外装不良を招くおそれもあった。
【０００６】
また、チャイム及びその近傍への汚れ付着を気にする余り、シーマー潤滑油量を少量にすると、ドラム缶において最も重要な内容物漏洩防止を保証するチャイム加工が阻害され、ひいてはチャイムの適正な巻き締め品質が確保できないおそれがあった。しかしながら、上記特許文献２ではチャイム及びその近傍の汚れ除去、特に、ドラム缶の汚れを効率的に拭き取ること、及び、チャイムの内周部まで拭き取ることについては格別な配慮がなされておらず、ドラム缶の生産性及び品質性能の双方を高めるには依然として課題が残されている。
【０００７】
本発明は上述の事情に基づいてなされたもので、その目的とするところは、シーマー潤滑油を充分に吹き付け、ドラム缶において最も重要な内容物漏洩防止を保証するチャイム加工を行い、その後にドラム缶のチャイム及びその近傍の汚れ、特にチャイムの内周部の汚れを効率的に自動で除去することにより、ドラム缶の生産性及び品質性能の双方を高めることができるドラム缶用汚れ拭き取り装置を提供することにある。
【課題を解決するための手段】
【０００８】
上記の目的を達成するため、本発明のドラム缶用汚れ拭き取り装置は、胴体の端縁と天板及び地板の少なくとも何れか一方の板面の外周縁とを巻締めにより相互に結合して形成されたチャイムを有するドラム缶の汚れを拭き取り材で拭き取る汚れ拭き取り装置であって、ドラム缶をその胴体周方向に回転させる回転機構と、拭き取り材の幅方向がドラム缶の胴体高さ方向となる姿勢で、拭き取り材をドラム缶側のチャイム近傍に向けてドラム缶の回転方向に沿って送り出す送り出し機構と、送り出し機構によって送り出された拭き取り材を巻き取る巻き取り機構と、拭き取り材の少なくとも上端両側を掴んで保持する保持機構と、保持機構で拭き取り材を保持した状態で胴体周方向に送り出し機構及び巻き取り機構を近づけることにより、拭き取り材の上端中央を弛ませて弛み領域を形成し、回転機構によりドラム缶を回転させた状態でチャイムを含む領域に弛み領域を被せて覆うようにして押圧接触させる押圧機構と備える。
【０００９】
好ましくは、押圧機構は、弛み領域をドラム缶のチャイムを含む領域にパッドによって押圧接触させ、パッドは、胴体高さ方向で見てチャイムの胴体と反対側に位置する外端縁部から、ドラム缶の胴体径方向で見てチャイムの内側に位置する内周縁を経て板面に亘るチャイムの内周部に、弛み領域を押圧接触可能な形状を有した内側パッドを含む。
好ましくは、押圧機構は、拭き取り材のドラム缶と反対側から弛み領域に空気を吹き付け、内周部に弛み領域を誘導するエアブローノズルを含む。
【００１０】
好ましくは、回転機構は、ドラム缶を天板及び地板の双方の板面において挟持し、ドラム缶に回転力を付与する一対の支持部と、支持部の少なくとも一方と、該支持部と胴体径方向に近接するチャイムの内周縁との間に位置付けられ、支持部を内周縁から離間する位置で板面に当接させるべく案内するガイドローラとを含む。
好ましくは、パッドは、ドラム缶の胴体高さ方向で見て、チャイムの胴体と反対側に位置する外端縁部からチャイムの頂部に亘って弛み領域を押圧接触可能な形状を有した外端縁パッドを含む。
【００１１】
好ましくは、パッドは、ドラム缶の胴体高さ方向で見て、胴体からチャイムの胴体側に位置する内端縁部を経てチャイムの頂部に亘って弛み領域を押圧接触可能な形状を有した内端縁パッドを含む。
好ましくは、送り出し機構、巻き取り機構、保持機構、及び押圧機構は、一体に又は連動して移動可能な拭き取り材による拭き取りユニットを構成する。
【００１２】
好ましくは、拭き取りユニットは、ドラム缶の胴体径方向における位置を調整するための進退機構を有する。
好ましくは、拭き取りユニットは、ドラム缶の胴体高さ方向における位置を調整するための昇降機構を有する。
好ましくは、拭き取りユニットは天板側と地板側との双方に設けられる。
好ましくは、拭き取り材には洗浄剤が含浸されている。
【発明の効果】
【００１３】
本発明のドラム缶用汚れ拭き取り装置によれば、シーマー潤滑油を充分に吹き付け、ドラム缶において最も重要な内容物漏洩防止を保証するチャイム加工を行い、その後に本発明のドラム缶用汚れ拭き取り装置によってドラム缶のチャイム及びその近傍の汚れを自動で除去することにより、ドラム缶の生産性及び品質性能の双方を高めることができる。
特に本発明では、保持機構により拭き取り材のずり落ちを阻止しながら弛み領域を形成し、チャイムを含む領域に弛み領域を押圧接触させることにより、拭き取り材のチャイムへの接触を面接触とすることができる。このため、拭き取り材における拭き取り領域を広範囲に亘って使用しながら、ドラム缶の汚れを効率的に拭き取ることができる。
【図面の簡単な説明】
【００１４】
【図１】本発明の一実施形態に係るドラム缶用汚れ拭き取り装置の正面図である。
【図２】図１の汚れ拭き取り装置の上面図である。
【図３】図１のチャイムを拡大した断面図である
【図４】図１の汚れ拭き取り装置において、大基板をドラム缶に近づける矢印方向にスライドした状態を示す上面図である。
【図５】図１の汚れ拭き取り装置において、小基板を対向する小基板に近づける方向にスライドした状態を示す上面図である。
【図６】図１の汚れ拭き取り装置において、上側のクランプをドラム缶に降下した状態を示した正面図である。
【図７】図６におけるクランプ及びガイドローラの動きを示した模式図である。
【図８】図６におけるクランプ及び内側パッドの動きを示した模式図である。
【図９】図１の汚れ拭き取り装置において、各パッドを弛み領域を介してドラム缶に押圧接触した状態を示す上面図である。
【図１０】図９における外端縁パッドの動きを示した模式図である。
【図１１】図９における内端縁パッドの動きを示した模式図である。
【発明を実施するための形態】
【００１５】
図１はドラム缶の一例である密閉型ドラム缶（クローズ缶）２とその汚れ拭き取り装置（ドラム缶用汚れ拭き取り装置）４の正面図であり、図２はドラム缶２及び汚れ拭き取り装置４の上面図である。ドラム缶２は、円筒状をなした中空の胴体６と、この胴体６の上端開口を閉塞する円形の天板８と、下端開口を閉塞する円形の地板１０とを備える。天板８には、排気口金１１及び注入口金１３が設けられている。なお、図１の汚れ拭き取り装置４の一部は、図２のＩ−Ｉ断面を示すものとなっている。
【００１６】
図３はドラム缶２のチャイム１２を拡大して示す断面図である。チャイム１２は、胴体６の上端縁と天板８の外周縁とを充填剤を介在させた状態でシーマー（巻締機）による巻締めにより相互に結合されて形成される。胴体６の下端縁と地板１０の外周縁からもチャイム１２と同様のチャイム１４が形成される。
汚れ拭き取り装置４は、ドラム缶２をその胴体周方向Ｘに回転させる回転機構１６、上側のチャイム１２を含む領域の汚れを拭き取る拭き取りユニット１８から概略構成されている。
【００１７】
ここで、図３に示すように、拭き取りユニット１８で汚れを拭き取るためのドラム缶２におけるチャイム１２を含む領域とは、チャイム１２近傍の胴体６である胴体部１２ａ、ドラム缶２の胴体高さ方向Ｙで見てチャイム１２の胴体６側に位置する内端縁部１２ｂ、胴体高さ方向Ｙで見てチャイム１２の胴体６反対側に位置する外端縁部１２ｃ、ドラム缶２の胴体径方向Ｚで見てチャイム１２の外周縁となる頂部１２ｄ、胴体径方向Ｚで見てチャイム１２の内周縁１２ｅ１から天板８の上面（板面）８ａに至る範囲に位置する内周部１２ｅを含む領域として規定される。
【００１８】
回転機構１６は、ドラム缶２を天板８の上面８ａと地板１０の下面（板面）１０ａにおいて挟持し、何れも円板状をなす一対の上側及び下側のクランプ（支持部）２０，２２を備えている。これらクランプ２０，２２の中央には、それぞれ回転軸２０ａ，２２ａが連結されている。また、回転軸２０ａは矢印で示すように、図示しない昇降機構により胴体高さ方向Ｙに昇降可能に構成されている。
【００１９】
クランプ２２上にドラム缶２を載置し、クランプ２０を降下させてドラム缶２を挟持し、図示しない駆動部から回転軸２２ａに回転力を付与することにより、ドラム缶２が胴体周方向Ｘに回転される。また、クランプ２０の上側には、クランプ２０及び回転軸２０ａを回転可能に支持する基板２０ｂが固定されている。この基板２０ｂの外周には、４つのガイドローラ２４が昇降シリンダ２４ａを介して離間して固定されている。
【００２０】
これらガイドローラ２４は、回転自在に軸支されたフランジ部２４ｂを備えている。各フランジ部２４ｂは、クランプ２０とチャイム１２の内周縁１２ｅ１との間に位置付けられている。各フランジ部２４ｂは、ガイドローラ２４が昇降シリンダ２４ａによって降下されても、天板８の上面８ａ及びチャイム１２に非接触となるように位置調整され、クランプ２０を内周縁１２ｅ１から離間する位置で天板８の上面８ａに当接させるべく案内する。なお、図示しないが、下側のチャイム１４側にも拭き取りユニット１８と同様の拭き取りユニットを設けても良い。
【００２１】
拭き取りユニット１８は、チャイム１２の汚れ拭き取り材であるタオル２６の送り出し機構２８、チャイム１２の汚れ拭き取り後のタオル２６を巻き取る巻き取り機構３０、タオル２６を掴んで保持する保持機構３２、及び送り出し機構２８と巻き取り機構３０との間を搬送されるタオル２６をドラム缶２のチャイム１２を含む領域に押圧接触させる押圧機構３４から概略構成されている。拭き取りユニット１８は、これら機構を一体に又は連動して移動可能である。
【００２２】
送り出し機構２８は、例えば４つのロール軸２８ａから概略構成されている。ドラム缶２から最も離れたロール軸２８ａにタオル２６を巻回した市販のロールタオル２６ａ（例えば幅２１０ｍｍ、１８ｍ巻）の巻き体の芯部の空洞を挿入することでロールタオル２６ａが送り出し機構２８にセットされる。送り出し機構２８はいわゆるピンチロールであって、タオル２６の端縁を残りの各ロール軸２８ａ間に交互に通し、少なくとも何れか１つのロール軸２８ａを図示しないブレーキ付きモータなどの駆動部によって回転させることにより、タオル２６は各ロール軸２８ａとの摩擦力によってロールタオル２６ａからタオル２６が引き出される。
【００２３】
そして、タオル２６は、その幅方向をドラム缶２の胴体高さ方向Ｙとする姿勢で、ドラム缶２側のチャイム１２近傍に向けてドラム缶２の回転方向に沿う搬送方向Ａで送り出される。
巻き取り機構３０は、例えば３つのロール軸３０ａから概略構成されている。巻き取り機構３０も送り出し機構２８と同様に、タオル２６の端縁を残りの各ロール軸３０ａ間に交互に通す。そして、少なくとも何れか１つのロール軸３０ａを図示しないブレーキ付きモータなどの駆動部によって回転させることにより、タオル２６は各ロール軸３０ａとの摩擦力によって送り出し機構２８から送り出されたタオル２６を巻き取って使用済みロールタオル２６ｂの巻き体が形成される。
【００２４】
巻き取り機構３０のタオル２６の巻き取り速度を送り出し機構２８のタオル２６の送り出し速度よりも若干大きくすることにより、送り出し機構２８と巻き取り機構３０との間には、上述したチャイム１２を含む領域に対向する姿勢で、所定の張力Ｆが付与されたタオル２６における汚れの拭き取り領域２６ｃが形成される。
【００２５】
保持機構３２は、張力Ｆが付与された状態の拭き取り領域２６ｃの上端両側を掴んで支持可能な２つの上側チャック３２ａと、拭き取り領域２６ｃの下端両側を掴んで支持可能な２つの下側チャック３２ｂとから構成されている。これら上側及び下側チャック３２ａ，３２ｂで挟んでタオル２６を支持することにより、押圧機構３４の作動によっても、各ロール軸２８ａ，３０ａからのタオル２６のずり落ちを阻止することができる。なお、２つの上側チャック３２ａのみから保持機構３２を構成しても良い。
【００２６】
押圧機構３４は、拭き取り領域２６ｃの内側、即ちドラム缶２側に配置された内側パッド３６と、拭き取り領域２６ｃの外側、即ちドラム缶２の反対側に配置された外端縁パッド３８及び内端縁パッド４０とを備えている。外端縁パッド３８と内端縁パッド４０とは、拭き取り領域２６ｃにおいて、搬送方向Ａに完全にずれた位置に配置され、更に胴体高さ方向Ｙにおいては外端縁パッド３８が内端縁パッド４０よりも若干上側に配置されている。また、各パッド３６，３８，４０には、エアシリンダやオイルシリンダ等のアクチュエータである、進退シリンダ３６ａ，３８ａ，４０ａと、昇降シリンダ３６ｂ，３８ｂ，４０ｂとがそれぞれロッドを介して接続されている。
【００２７】
ここで、送り出し機構２８と、保持機構３２の送り出し機構２８側に配置された上側チャック３２ａ及び下側チャック３２ｂとは小基板４２に固定されている。一方、巻き取り機構３０と、保持機構３２の巻き取り機構３０側に配置された上側チャック３２ａ及び下側チャック３２ｂとは、小基板４２とは別個の小基板４４に固定されている。本実施形態では、小基板４４には進退機構が設けられ、この進退機構の駆動部を駆動することにより、図２に矢印で示すように、小基板４４は小基板４２に近づいたり離れたりして搬送方向Ａに沿ってスライド可能に構成されている。なお、これに限らず、小基板４２，４４の少なくとも何れか一方が搬送方向Ａに沿ってスライド可能に構成されていれば良い。
【００２８】
また、外端縁パッド３８の進退及び昇降シリンダ３８ａ，３８ｂと、内端縁パッド４０の進退及び昇降シリンダ４０ａ，４０ｂとは、小基板４２，４４の下側に配置された大基板４６に固定されている。大基板４６には小基板４４も固定され、小基板４２も搬送方向Ａに沿ってスライド可能に大基板４６に固定されている。大基板４６には進退機構が設けられ、この進退機構の駆動部を駆動することにより、拭き取りユニット１８は、ドラム缶２に対して進退方向Ｂに一体にスライド可能に構成されている。また、大基板４６には、外端縁パッド３８の進退及び昇降シリンダ３８ａ，３８ｂと、内端縁パッド４０の進退及び昇降シリンダ４０ａ，４０ｂとの間にエアブローノズル４８が固定されている。
【００２９】
以下、図４から図１１を参照し、汚れ拭き取り装置４の動作について説明する。なお、図４から図１１は、主として汚れ拭き取り装置４の動作を分かり易く説明するために、詳細の部位の記載を一部割愛した模式図である。
先ず図４に示すように、大基板４６をドラム缶２に近づける矢印方向にスライドすることにより、チャイム１２を含む領域にタオル２６の拭き取り領域２６ｃを近づける。
【００３０】
次に、図５に示すように、小基板４２を小基板４４に近づける方向にスライドすることにより、拭き取り領域２６ｃの上端中央に弛ませてタオル２６の弛み領域２６ｄを形成する。この際、エアブローノズル４８から拭き取り領域２６ｃのドラム缶２と反対側から弛み領域２６ｄに空気を吹き付けることにより、弛み領域２６ｄがチャイム１２の内周部１２ｅに被される位置まで誘導される。
【００３１】
次に、図６に示すように、クランプ２０を矢印方向に降下することにより、クランプ２０，２２によりドラム缶２を挟持する。
この際、図７に破線で示すように、クランプ２０が注入口金１３を覆うことにより、汚れ拭き取り装置４作動時における注入口金１３への異物混入が阻止される。また、クランプ２０の降下と併せ、昇降シリンダ２４ａの作動によって各ガイドローラ２４も降下される。
【００３２】
ガイドローラ２４は天板８の上面８ａ及びチャイム１２に非接触となるため、ガイドローラ２４にチャイム１２から潤滑油を含む汚れが付着することが防止される。また、クランプ２０，２２がドラム缶２を挟持後は、昇降シリンダ２４ａの作動によってガイドローラ２４は上昇して元の位置に戻る。
【００３３】
一方、図８に破線で示すように、クランプ２０の降下に伴い、クランプ２０は排気口金１１を覆い、汚れ拭き取り装置４作動時における排気口金１１への異物混入が阻止される。なお、排気口金１１に排気口金１１を塞ぐラベルが貼付されている場合、このラベルがタオル２６の弛み領域２６ｄの接触により剥がれるおそれがある。しかし、クランプ２０が排気口金１１を覆うことにより、このラベル剥がれを抑制可能である。
【００３４】
また、図８に示すように、クランプ２０の降下と併せ、昇降シリンダ３６ｂの作動によって内側パッド３６も降下され、天板８の上面８ａに弛み領域２６ｄを介して押圧接触される。次に、内側パッド３６は進退シリンダ３６ａの作動によって、チャイム１２の内周縁１２ｅ１に弛み領域２６ｄを介して押圧接触される。
【００３５】
内側パッド３６は、ドラム缶２の胴体高さ方向Ｙで見てチャイム１２の胴体６と反対側に位置する外端縁部１２ｃから、ドラム缶２の胴体径方向Ｚで見てチャイム１２の内側に位置する内周縁１２ｅ１を経て、天板８の上面８ａに亘るチャイム１２の内周部１２ｅに、弛み領域２６ｄを押圧接触可能な形状を有している。
【００３６】
詳しくは、内側パッド３６は、断面視Ｌ字形状を有するウレタンやフェルト等の低反発材から成形され、ドラム缶２の胴体径方向Ｚに延び、外端縁部１２ｃに弛み領域２６ｄを押圧する突出部３６ｃと、突出部３６ｃから下方に略垂直に屈曲されてドラム缶２の胴体高さ方向Ｙに延び、チャイム１２の内周部１２ｅに弛み領域２６ｄを押圧する平坦部３６ｄとから構成されている。
【００３７】
一方、図９に示すように、内側パッド３６がチャイム１２の内周部１２ｅに弛み領域２６ｄを押圧接触する際、併せて外端縁パッド３８及び内端縁パッド４０もチャイム１２に押圧接触される。
詳しくは、図１０に示すように、外端縁パッド３８は、断面視Ｌ字形状を有する内側パッド３６と同様の材料から成形され、ドラム缶２の胴体径方向Ｚに延び、外端縁部１２ｃに弛み領域２６ｄを押圧する突出部３８ｃと、突出部３８ｃから下方に略垂直に屈曲されてドラム缶２の胴体高さ方向Ｙに延び、チャイム１２の頂部１２ｄに弛み領域２６ｄを押圧する平坦部３８ｄとから構成されている。そして、外端縁パッド３８は、ドラム缶２の胴体高さ方向Ｙで見て、チャイム１２の外端縁部１２ｃから頂部１２ｄに亘って押圧接触される。
【００３８】
また、図１１に示されるように、内端縁パッド４０は、断面視Ｉ字形状を有する内側パッド３６と同様の材料から成形され、ドラム缶２の胴体径方向Ｚに延び、内端縁部１２ｂに弛み領域２６ｄを押圧する水平面４０ｃと、ドラム缶２の胴体高さ方向Ｙに延び、チャイム１２近傍の胴体６に弛み領域２６ｄを押圧する垂直面４０ｄとを有している。そして、内端縁パッド４０は、ドラム缶２の胴体高さ方向Ｙで見て、胴体６からチャイム１２の内端縁部１２ｂを経て頂部１２ｄに亘って押圧接触される。
【００３９】
各パッド３６，３８，４０はチャイム１２への押圧接触に伴い、チャイム１２に形成された隅部や円弧面に弛み領域２６ｄを介して変形しながら入り込み、これら隅部や円弧面に合致する。この状態において、図８に示すように回転機構１６によってドラム缶２を胴体周方向Ｘに回転させることにより、チャイム１２を含む領域をタオル２６によって拭き残し無く拭くことが可能となる。
【００４０】
以上のように本実施形態では、シーマー潤滑油を充分に吹き付け、ドラム缶２において最も重要な内容物漏洩防止を保証するチャイム加工を行い、その後に本発明のドラム缶用汚れ拭き取り装置４によってドラム缶２のチャイム１２及びその近傍の汚れを自動で除去することにより、ドラム缶２の生産性及び品質性能の双方を高めることができる。具体的には、重労働となる作業員による拭き取り作業を排除することができるとともに、また、汚れの拭き残しを防止し、ドラム缶２の外装不良を防止することができる。
【００４１】
また、チャイム１２及びその近傍への汚れ付着を気にすることなく、シーマー潤滑油量を適正に供給することができるため、ドラム缶２において最も重要な内容物漏洩防止を保証するチャイム加工を実現しながら、高品質の製品を提供することができる。
【００４２】
特に本実施形態では、保持機構３２によりタオル２６のずり落ちを阻止しながら弛み領域２６ｄを形成し、チャイム１２を含む領域に弛み領域２６ｄを押圧接触させることにより、タオル２６のチャイム１２への接触を面接触とすることができる。このため、タオル２６の拭き取り領域２６ｃを広範囲に亘って使用しながら、ドラム缶２の汚れを効率的に拭き取ることができる。
【００４３】
また、弛み領域２６ｄにエアブローノズル４８から空気を吹き付けることにより、弛み領域２６ｄをチャイム１２の内周部１２ｅまで確実に誘導することができ、チャイム１２の内周部１２ｅまで拭き残し無く拭くことができる。
また、各ガイドローラ２４を設けたことにより、天板８に対するクランプ２０の位置決めを自動的に行うことができるため、クランプ２０が邪魔してチャイム１２の内周部１２ｅに拭き残しが生じることはない。
【００４４】
また、クランプ２０の位置決め後、各ガイドローラ２４は上昇して退避するため、弛み領域２６ｄによるチャイム１２の内周部１２ｅの拭き取りに支障を来すことはない。また、各ガイドローラ２４は、降下時にドラム缶２に非接触となるように調整されているため、各ガイドローラ２４にドラム缶２の油汚れが付着し、各ガイドローラ２４がドラム缶２を汚すことを阻止可能である。
【００４５】
また、クランプ２０が排気口金１１及び注入口金１３を覆うことにより、汚れ拭き取り装置４作動時における排気口金１１及び注入口金１３への異物混入が阻止される。また、排気口金１１に排気口金１１を塞ぐラベルが貼付されている場合、クランプ２０が排気口金１１を覆うことにより、ラベル剥がれを抑制可能である。
【００４６】
本発明は上記実施形態に制約されるものではなく、種々の変形が可能である。
具体的には、上記実施形態の汚れ拭き取り装置４ではロールタオル２６ａから送り出されるタオル２６を拭き取り材として使用しているが、拭き取り材はこれに限定されない。
また、水や有機溶剤等からなる洗浄剤を含浸させた拭き取り材を使用しても良い。これにより、チャイム１２及びその近傍の汚れ除去効率が向上し、また、拭き取り材の長寿命化を実現可能である。但し、洗浄剤に有機溶剤を含む場合には防爆対応等に関する労働安全衛生法や消防法上の措置を設備に施す必要がある。
【００４７】
また、上記実施形態の押圧機構３４で用いるパッドの数、及びパッドの形状はこれに限定されない。具体的にはチャイム１２を含む領域に形成された隅部や円弧面に付着した汚れを拭き残し無く拭き取ることが可能な形状であれば良い。
また、上記実施形態では、搬送されてくるドラム缶２毎に拭き取り領域２６ｃをタオル２６の搬送方向にずらして汚れの拭き取りを行うが、拭き取りユニット１８を図示しない昇降機構によって昇降することで、拭き取り領域２６ｃを上下にずらして汚れの拭き取りを行うようにしても良い。この場合にはタオル２６の消耗を抑制することができて好ましい。
【００４８】
また、上記実施形態では、密閉型ドラム缶２の汚れ拭き取り装置４について説明したが、この汚れ拭き取り装置４はオープン型ドラム缶にも適用可能である。オープン型ドラム缶は、天板８の代わりに開閉可能な天蓋を備える。この場合には、拭き取りユニット１８に、前述の外端縁パッド３８に代え、天蓋外周縁部の形状に見合うパッドを配置することで、この部分の拭き取りも可能である。この場合には、地板１０側には密閉型の場合と同様のチャイム１４が形成されるため、このチャイム１４の汚れを下側の拭き取りユニットによって拭き取り可能である。
【符号の説明】
【００４９】
２      密閉型ドラム缶（ドラム缶）
４      汚れ拭き取り装置（ドラム缶用汚れ拭き取り装置）
６      胴体
８      天板
８ａ      上面（板面）
１０      地板
１０ａ      下面（板面）
１２      チャイム
１２ｂ      内端縁部
１２ｃ      外端縁部
１２ｄ      頂部
１２ｅ    内周部
１２ｅ１    内周縁
１４      チャイム
１６      回転機構
１８      拭き取りユニット
２０      クランプ（支持部）
２２      クランプ（支持部）
２４      ガイドローラ
２６      タオル（拭き取り材）
２６ｄ      弛み領域
２８      送り出し機構
３０      巻き取り機構
３２      保持機構
３４      押圧機構
３６      内側パッド（パッド）
３８      外端縁パッド（パッド）
４０      内端縁パッド（パッド）
４８      エアブローノズル
【図１】
2016215143.tif 000003
【図２】
2016215143.tif 000004
【図３】
2016215143.tif 000005
【図４】
2016215143.tif 000006
【図５】
2016215143.tif 000007
【図６】
2016215143.tif 000008
【図７】
2016215143.tif 000009
【図８】
2016215143.tif 000010
【図９】
2016215143.tif 000011
【図１０】
2016215143.tif 000012
【図１１】
2016215143.tif 000013